(57)【要約】 【課題】  踵部が着地時にかかる負荷を軽減し、足甲側指付け根部、足裏側指付け根部は足指の股部の通気性を促進する足の各部位に応じた機能を有する靴下を提供する。【解決手段】  踵部Ａ以外の部位は表糸に綿糸３本、踵部Ａは表糸に綿糸４本用い、裏糸に弾性糸を芯糸とし合成繊維からなるフィラメント糸をカバリングしたカバリング糸を用いてパイル編で編成し、爪先部Ｊのゴアラインを小さくして編成したことを構成するものである。【選択図】      図１
0003113253.tif 000002
【実用新案登録請求の範囲】
【請求項１】
踵部Ａ以外の部位は表糸に綿糸３本、踵部Ａは表糸に綿糸４本用い、裏糸に弾性糸を芯糸とし合成繊維からなるフィラメント糸をカバリングしたカバリング糸を用いてパイル編で編成し、爪先部Ｊのゴアラインを小さくして編成したことを特徴とする靴下。
【請求項２】
前記靴下は、足首部の後側Ｂはパイル編を、足首部の前側とこれに接続する足甲部Ｅは交互にメッシュ編とパイル編を、土踏まず部Ｃはメッシュ編を、足底部Ｌはパイル編を、前記足甲部の前側Ｄはパイル編を、足甲側指付け根部Ｆはメッシュ編を、足裏側指付け根部Ｇはメッシュ編を、爪先部Ｊはパイル編にそれぞれ編成した請求項１記載の靴下。
【請求項３】
前記靴下は、足甲部Ｅは交互にメッシュ編とパイル編を、土踏まず部Ｃはメッシュ編を、足底部Ｌはパイル編を、前記足甲部の前側Ｄはパイル編を、足甲側指付け根部Ｆはメッシュ編を、足裏側指付け根部Ｇはメッシュ編を、爪先部Ｊはパイル編にそれぞれ編成した請求項１記載の靴下。
【請求項４】
前記足首部の後側Ｂ、前記土踏まず部Ｃ及び足甲部Ｅは、ダブルカバリング糸を挿入した請求項１または請求項２に記載の靴下。
【請求項５】
前記踵部のゴアラインを大きくした請求項１乃至請求項４のいずれかに記載の靴下。
【考案の詳細な説明】
【技術分野】
【０００１】
本考案は、靴下の各部位に応じた機能を有する靴下に関するものである。
【背景技術】
【０００２】
靴下のずり落ちを防止し、蒸れのない靴下を提供するために、足首部を締め付け組織とし、表糸と裏糸と弾性糸を使用した靴下は公知である。
【特許文献１】実用新案登録第３０４６５１１号
【０００３】
しかしながら、前記靴下は、着用者が歩行時に踵部から着地する際に、踵にかかる負荷（ショック）を軽減させるものではない。また、足首部を締め付け組織としているが、足首部の前面にはしわが形成され、靴下と靴との摩擦により、靴ずれを生じることが欠点となっている。
【０００４】
また、保温性と吸湿性を表側の耐摩耗性を改善するために、靴下の裏面をパイル組織に編成した靴下も公知である。
【特許文献２】実用新案登録第３０４６５１１号
【０００５】
しかしながら、靴下全体がパイル編で編成されているため、土踏まず部、足甲側指付け根部、足裏側指付け根部に汗が溜り、通気性が良好といえない。
【０００６】
更に、ずり落ちを防止し、蒸れない靴下を提供するために、口ゴム部から足首部までの脚部と踵部と足甲部と爪先部パイル編に編成し、脚部を締め付け組織とした靴下も公知である。
【特許文献３】実用新案登録第３０４９３４３号
【０００７】
しかしながら、足甲側指付け根部、足裏側指付け根部は通気性が良好といえないので、通気性に難点がある。
【考案の開示】
【考案が解決しようとする課題】
【０００８】
叙上の事情に鑑み、本考案は、踵部が着地時にかかる負荷を軽減し、足甲側指付け根部、足裏側指付け根部は足指の股部の通気性を促進する足の各部位に応じた機能を有する靴下を提供することを課題とするものである。
【０００９】
本考案は、また、足首部のアキレス腱の部分は保護と保温を良好にし、土踏まず部は確実にサポートして足のアーチを保持し、足首部前面はしわを吸収するようにして、足の各部位に応じた機能を有する靴下を提供することを課題とするものである。
【課題を解決するための手段】
【００１０】
上記課題を解決するために、本考案は、踵部Ａ以外の部位は表糸に綿糸３本、踵部Ａは表糸に綿糸４本用い、裏糸に弾性糸を芯糸とし合成繊維からなるフィラメント糸をカバリングしたカバリング糸を用いてパイル編で編成し、爪先部Ｊのゴアラインを小さくして編成した靴下を構成するものである。
【００１１】
本考案は、また、前記靴下は、足首部の後側Ｂはパイル編を、足首部の前側とこれに接続する足甲部Ｅは交互にメッシュ編とパイル編を、土踏まず部Ｃはメッシュ編を、足底部Ｌはパイル編を、前記足甲部の前側Ｄはパイル編を、足甲側指付け根部Ｆはメッシュ編を、足裏側指付け根部Ｇはメッシュ編を、爪先部Ｊはパイル編にそれぞれ編成した靴下を構成するものである。
【考案の効果】
【００１２】
本考案は、上記のように踵部Ａ以外の部位は表糸に綿糸３本、踵部Ａは表糸に綿糸４本用いたので、着用者が歩行時に踵部から着地する際に、踵にかかる負荷を軽減させることができる。また、足首部を締め付け組織としているが、足首部の前側とこれに接続する足甲部Ｅは交互にメッシュ編とパイル編で編成したので、足首部の前面にはしわが形成されなく、靴下と靴との摩擦により、靴ずれを生じることがない。更に、爪先部のゴアラインを小さくして編成し、足甲側指付け根部と足裏側指付け根部はメッシュ編で編成したので、足甲側指付け根部、足裏側指付け根部は通気性が良好である。
【考案を実施するための最良の形態】
【００１３】
本考案の靴下とは、ハイソックスを始めとする、タイツ、ストッキング、オーバーニー等を含むものである。
【００１４】
本考案の靴下を、以下図面に基づいて、詳細に説明する。図１は、本考案の短靴下の一実施例を示す正面図である。
【００１５】
靴下１は、全体として、表糸に３０番手ないし４０番手の綿糸を用い、裏糸に４０デニールのポリウレタン弾性糸を芯糸とし１００ないし１５０デニールのポリエステルフィラメント糸をカバリングしたシングルカバリング糸を用いて編成する。なお、口ゴム部Ｋ、足首部Ｂ及び土踏まず部Ｃ及び足甲部Ｅは、更に芯糸の１８０デニールのポリウレタン弾性糸に７５デニールのポリエステルフィラメント糸をダブルカバリングしたダブルカバリング糸（ＤＣＹ）を挿入する。
なお、ポリエステルフィラメント糸に代えてナイロンフィラメント糸等合成ナイロンフィラメント糸を用いてもよい。
【００１６】
具体的には、口ゴム部Ｋは、表糸に３２番手単糸の綿糸３本と、裏糸に４０デニールのポリウレタン弾性糸を芯糸とし１５０デニールのポリエステルフィラメント糸をカバリングしたシングルカバリング糸とを用いてゴム編に編成する。
【００１７】
足首部の後側Ｂのアキレス腱の部分は、表糸に３２番手単糸の綿糸３本と、裏糸に４０デニールのポリウレタン弾性糸を芯糸とし１５０デニールのポリエステルフィラメント糸をカバリングしたシングルカバリング糸とを用いてパイル編を編成し、更に芯糸の１８０デニールのポリウレタン弾性糸に７５デニールのポリエステルフィラメント糸をダブルカバリングしたダブルカバリング糸（ＤＣＹ）を各コースに挿入する。
【００１８】
踵部Ａは、非常に大きな負荷（体重）がかかるので、表糸に３２番手単糸の綿糸４本と、裏糸に４０デニールのポリウレタン弾性糸を芯糸とし１５０デニールのポリエステルフィラメント糸をカバリングしたシングルカバリング糸とを用いてパイルループの密度を高め、パイル編で編成し、足が着地した時の踵部にかかる負荷（ショック）を軽減させる。
【００１９】
更に、踵部Ａは編機のシリンダの半円部分で編成されるが、編成位置にある編針の一端から他端に半回転することで１コース編成される。このとき、カムリングが位置した側の編針を１本不作用位置に引き上げた後、リングを逆転して編針の他端にもどす。この際にもこの側の編針１本を不作用位置とする。この作動を繰り返すことにより編幅が次第に狭くなっていくことになるが、本考案の実施例では、通常の設定値より１０目多い部分から編成されるところから出発するので、図１に示すように、通常の１の位置から、本考案の場合、２の位置から出発して１コース編成されるので、従来の靴下よりゴアラインＧＬが深くなり踵部が大きくなり、ゆったりしっかり踵を支持することができる。
【００２０】
土踏まず部Ｃは、１８０デニールのポリウレタン弾性糸を芯糸とし、７５デニールのポリエステルフィラメント糸をカバリングしたシングルカバリング糸とからなるメッシュ編に編成し、更に芯糸の１８０デニールのポリウレタン弾性糸に７５デニールのポリエステルフィラメント糸をダブルカバリングしたダブルカバリング糸（ＤＣＹ）を各コースに挿入する。
ここで、メッシュ編とは、裏糸だけを平編に編成し、表糸は編成しないで挿通する組織である。
【００２１】
足首部の前側とこれに接続する足甲部Ｅは、前記メッシュ編とパイル編を交互に編成させている。すなわち、表糸に３２番手単糸の綿糸３本と、裏糸に４０デニールのポリウレタン弾性糸を芯糸とし１５０デニールのポリエステルフィラメント糸をカバリングしたシングルカバリング糸とを用いてパイル編を編成する部分と、４０デニールのポリウレタン弾性糸を芯糸とし１５０デニールのポリエステルフィラメント糸をカバリングしたシングルカバリング糸とからなるメッシュ編に編成する部分とを交互に編成する。これにより、従来足首部の前面部にできるたるみ（しわ）を吸収する作用をする。
【００２２】
足の甲側部Ｄは、シューズで締め付けられるので、締め付けを緩和するためにパイル編に編成する。糸使いは、表糸に３２番手単糸の綿糸３本と、裏糸に４０デニールのポリウレタン弾性糸を芯糸とし１５０デニールのポリエステルフィラメント糸をカバリングしたシングルカバリング糸とを用いてパイル編に編成する。  
【００２３】
足甲側指付け根部Ｆは、前記のメッシュ編に編成して足指の股の通気性を促進し、むれを防止して快適な状態を保持する。メッシュ編は、４０デニールのポリウレタン弾性糸を芯糸とし１５０デニールのポリエステルフィラメント糸をカバリングしたシングルカバリング糸からなる。
【００２４】
足裏側指付け根部Ｇは、足甲側指付け根部Ｆと同様にメッシュ編に編成する。足裏側指付け根部Ｇは、足甲側指付け根部Ｆと同様な組織に編成することにより、足指の股の通気性を促進し、むれを防止して快適な状態を保持する。
【００２５】
なお、足裏側指付け根部Ｇと土踏まず部Ｃとの間の足底部Ｌは、パイル編に編成する。糸使いは、表糸に３２番手単糸の綿糸３本と、裏糸に４０デニールのポリウレタン弾性糸を芯糸とし１５０デニールのポリエステルフィラメント糸をカバリングしたシングルカバリング糸とを用いてパイル編に編成する。
【００２６】
爪先部Ｊはパイル編に編成する。糸使いは、表糸に３２番手単糸の綿糸３本と、裏糸に４０デニールのポリウレタン弾性糸を芯糸とし１５０デニールのポリエステルフィラメント糸をカバリングしたシングルカバリング糸とを用いてパイル編に編成する。
【００２７】
また、爪先部Ｊは、踵部Ａと同様に編機のシリンダの半円部分で編成され、編成位置にある編針の一端から他端に半回転することで１コース編成される。そして、半回転毎に編針を１本不作用位置に引き上げ、作動を繰り返すことにより編幅が次第に狭くなっていくことになるが、通常シリンダの往復回動数が１９回程度であるが、本考案の実施例では、通常の設定値より５回程度少ない１４回程度に設定するので、図１に示すように、爪先部ＪのゴアラインＧＬは、通常のものより小さくされる。
【００２８】
上記のような靴下の編成は、ドラムレスのフルコンピュータを備えた編機で自動制御されながら編成される。
【００２９】
図２は、本考案の短靴下の他の実施例を示す正面図である。この実施例の靴下は、表糸に綿糸、裏糸に弾性糸とポリエステル糸を用い、踵部Ａはパイル編を、踵部の前側とこれに接続する足甲部Ｅは交互にメッシュ編とパイル編を、土踏まず部Ｃはメッシュ編を、前記足甲部の前側Ｄはパイル編を、足甲側指付け根部Ｆはメッシュ編を、足裏側指付け根部Ｇはメッシュ編を、爪先部Ｊはパイル編にそれぞれ編成した靴下を構成するものである。
【００３０】
この実施例の各部位の糸使いは、第１実施例のものと同様であるため、省略する。
【図面の簡単な説明】
【００３１】
【図１】本考案の靴下の一実施例を示す正面図である。
【図２】本考案の靴下の他の実施例を示す正面図である。
【符号の説明】
【００３２】
１            本考案のゴアラインの端部
２            従来のゴアラインの端部
Ａ            踵部
Ｂ            足首部前面
Ｃ            土踏まず部
Ｄ            足の甲部
Ｅ            足首部前面
Ｆ            足甲側指付け根部
Ｇ            足裏側指付け根部
Ｊ            爪先部
Ｋ            口ゴム部
Ｌ            足底部
【図１】
0003113253.tif 000003
【図２】
0003113253.tif 000004